(57)【要約】  【課題】  特別な部品を追加することなく、設計の自由度および性能の安定性・均一性を向上させることのできる受信機を提供する。  【解決手段】  複数の発振器を備える受信機において、前記複数の発振器のうち少なくとも１つは発振周波数を変更・設定可能であり、前記発振周波数を変更可能な発振器のうち少なくとも１つの発振周波数は、前記複数の発振器により発振される複数の周波数に基づいて生ずる周波数が、前記受信機で使用されているいずれかの周波数と一致しないように変更・設定される。  【選択図】  図１
2005175589.tif 000002
【特許請求の範囲】
【請求項１】
複数の発振器を備える受信機において、
前記複数の発振器のうち少なくとも１つは発振周波数を変更・設定可能であり、
前記発振周波数を変更可能な発振器のうち少なくとも１つの発振周波数は、前記複数の発振器により発振される複数の周波数に基づいて生ずる周波数が、前記受信機で使用されているいずれかの周波数と一致しないように変更・設定されることを特徴とする受信機。
【発明の詳細な説明】
【技術分野】
【０００１】
本発明は、複数の発振器を備える受信機に関するものである。
【背景技術】
【０００２】
従来、シンセサイザ等を組み合わせた複数チャンネルの受信、ミキサ回路による周波数変換を行う方式が、一般的に用いられている。
【発明の開示】
【発明が解決しようとする課題】
【０００３】
従来の１つの受信周波数に対して固定された１つの発振器周波数を用いる方式では、受信機内部にある複数の発振器により生じる、ある固有周波数の受信感度劣化に対して、（１）金属板等によるシールドを行う、（２）部品配置、パターン設計を最適化する、（３）フィルタや減衰器などにより出力レベルを下げる、といった対策をとるのが一般的であった。しかし、上述のような対策では、特別な部品を追加することによるコスト、設計の自由度および性能の安定性・均一性の点などにおいて問題があった。
【０００４】
本発明は上述した問題点を解決するためになされたものであり、特別な部品を追加することなく、設計の自由度および性能の安定性・均一性を向上させることのできる受信機を提供することを目的とする。
【課題を解決するための手段】
【０００５】
上述した課題を解決するため、本発明に係る受信機は、複数の発振器を備える受信機において、前記複数の発振器のうち少なくとも１つは発振周波数を変更・設定可能であり、前記発振周波数を変更可能な発振器のうち少なくとも１つの発振周波数は、前記複数の発振器により発振される複数の周波数に基づいて生ずる周波数が、前記受信機で使用されているいずれかの周波数と一致しないように変更・設定されることを特徴とすることを特徴とするものである。
【発明の効果】
【０００６】
以上に詳述したように本発明によれば、特別な部品を追加することなく、設計の自由度および性能の安定性・均一性を向上させることのできる受信機を提供することができる。
【発明を実施するための最良の形態】
【０００７】
以下、本発明の実施の形態について図面を参照しつつ説明する。
【０００８】
図１に、本実施の形態による受信機の構成を示す。同図に示すように、本実施の形態による受信機は、高周波フィルタ１１、高周波アンプ１２、第１ミキサ１３、第１中間周波フィルタ１４、第１中間周波アンプ１５、第２ミキサ１６、第２中間周波アンプ１７、第２中間周波フィルタ１８、復調器１９、基準発振器１ａ、局部発振器制御部１ｂ、第１局部発振器１ｃ、第２局部発振器１ｄから構成されている。
【０００９】
同図に示すように、本実施の形態による受信機は、受信機として一般的に採用されているスーパーヘテロダイン方式の構成であり、複数の発振器を有している。
【００１０】
このスーパーヘテロダイン方式では、受信周波数ｆRが高周波フィルタ１１で選択され、その後高周波アンプ１２で増幅された後、第１ミキサ１３により第１中間周波数ｆIF1に周波数変換される。同時に、第１ミキサ１３には第１局部周波数ｆL1が入力される。
【００１１】
図２は、第１ミキサ回路での周波数変換について説明するための図である。通常、第１局部周波数ｆL1は、受信周波数ｆRに対し第１中間周波数ｆIF1だけ高い側（ｆL1-upper）、もしくは第１中間周波数ｆIF1だけ低い側（ｆL1-lower）のどちらか一方に周波数関係を固定した方式で設計される。
【００１２】
ｆL1-lowerおよびｆL1-upperは、以下の式（１）および（２）のように表される。
ｆR−ｆIF1＝ｆL1-lower  ・・・（１）
ｆR＋ｆIF1＝ｆL1-upper  ・・・（２）
また、第１中間周波数ｆIF1は、第１中間周波フィルタ１４の中心周波数により決まる固有周波数となる。第１中間周波数ｆIF1は、第１中間周波アンプ１５により増幅される。
【００１３】
同様に第２ミキサ１６では、受信周波数ｆRを第１中間周波数ｆIF1に、第１中間周波数ｆIF1を第２中間周波数ｆIF2に、第１局部周波数ｆL1を第２局部周波数ｆL2に置き換えて考えれば、上記の第１ミキサ１３における動作と同様であり、ｆL2-lowerおよびｆL2-upperは、以下の式（３）および（４）のように表される。
【００１４】
図３は、第２ミキサ回路での周波数変換について説明するための図である。
ｆIF1−ｆIF2＝ｆL2-lower  ・・・（３）
ｆIF1＋ｆIF2＝ｆL2-upper  ・・・（４）
ここでの第２中間周波数ｆIF2は、第２中間周波フィルタ１８の中心周波数により決まる固有周波数となる。この第２中間周波数ｆIF2は、被検器またはＡ−Ｄ変換器などにより、アナログ信号やデジタル信号の復調出力となる。第２中間周波フィルタ１８を通過した信号は、復調器１９により復調される。
【００１５】
受信機では複数の発振器が用いられており、またそれらから変換され生成される周波数もあり、内部には種々の周波数成分が混在している（例えば、ｆR，ｆL1，ｆL2，ｆIF1，ｆIF2，ｆREFなど）。ここでｆREFとは、基準発振器１ａから発せられる基準発振器周波数である。
【００１６】
これらの組み合わせによって生じる周波数が、ある特定の条件下で受信機内部において使用される周波数と一致した場合、受信感度の劣化を生じる場合がある。特に発振器の出力は、ほとんどの場合受信波に比べ遥かに高電力であり、部品配置や配線パターンの影響を受け易い。
【００１７】
例えば、局部周波数をｆL1-lowerとｆL2-lowerに設計したときに、ｆL1-lowerとｆL2-lowerの組み合わせにより、第１ミキサにおいて第１中間周波数ｆIF1と同じ周波数の信号が生成された場合（式（５）を参照）、この生成された周波信号が受信周波数ｆRによる第１中間周波数ｆIF1の妨害波となり、受信感度が劣化してしまう。
【００１８】
ｆL1-lowerとｆL2-lowerから生じる妨害波成分は、次式のように表される。
±ｍ＊ｆL1-lower±ｎ＊ｆL2-lower＝ｆIF1  ・・・（５）
また、式１より、受信波ｆRから生じる成分は、次式のように表される。
ｆR−ｆL1-lower＝ｆIF1  ・・・（６）
このように妨害波が発生することにより受信感度が劣化する場合、ｆL1-lower，ｆL2-lowerの内いずれか一方あるいは両方を、ｆL1-upper，ｆL2-upperに周波数切り替えすることにより、妨害波成分のｆIF1発生を回避することができる。
【００１９】
原理的には、受信機内部で使用されている周波数成分（ｆL1，ｆL2，ｆIF1，ｆIF2，ｆREFなど）のいくつかが回路素子により合成され、その組み合わせが受信機内部の特定の周波数成分（例えばｆR，ｆIF1，ｆIF2など）と一致した場合に受信感度劣化を生じることになる。
【００２０】
考えられる組み合わせは数多くあり、その一例として、以下の式（７）および（８）に示すような場合にも、上述の式（５）の場合と同様、受信感度の劣化が生じる場合がある。
±ｍ＊ｆL1-lower±ｎ＊ｆREF＝ｆR  ・・・（７）
±ｍ＊ｆL1-upper±ｎ＊ｆREF＝ｆIF2  ・・・（８）
上記式（５）〜式（８）に示すように、第１局部周波数ｆL1，第２局部周波数ｆL2および基準発振器周波数ｆREFのうち少なくとも１つが妨害波を決定するパラメータとなっている。
【００２１】
本実施の形態では、第１局部発振器１ｃ、第２局部発振器１ｄおよび基準発振器１ａは、その発振周波数を変更可能となっており、第１局部周波数ｆL1，第２局部周波数ｆL2および基準発振器周波数ｆREFのいずれかを異なる周波数に切り替えることにより、生成される妨害波成分を特定の周波数からずらし、受信感度の劣化を回避することができる。
【００２２】
換言すれば、発振周波数を変更可能な発振器のうち少なくとも１つの発振周波数は、複数の発振器により発振される複数の周波数に基づいて生ずる周波数（妨害波成分）が、受信機で使用されているいずれかの周波数と一致しないように変更・設定される。
【００２３】
周波数の切り替えは、受信方式の原理あるいは発振器周波数制御の仕組みに従い設定周波数を決定し、必要であれば制御部の設定変更を行う。例えば、先に示したようなスーパーヘテロダイン方式の受信機では、局発周波数を受信周波数の上側もしくは下側どちらにでも切り替え可能に設計すれば、受信感度劣化を生じた場合であっても局発周波数の切り替えにより障害を回避できる。
【００２４】
また、基準発振器であれば、予め２つの発振器を用意し使い分けるか、周波数制御範囲の広い発振器を切り替えスイッチなどにより切り替える方法が考えられる。
【００２５】
上述のように、本実施の形態による受信機は、複数の発振器を備える受信機において、前記複数の発振器のうち少なくとも１つは発振周波数を変更・設定可能であり、前記発振周波数を変更可能な発振器のうち少なくとも１つの発振周波数は、前記複数の発振器により発振される複数の周波数に基づいて生ずる周波数が、前記受信機で使用されているいずれかの周波数と一致しないように変更・設定されることを特徴とする。
【００２６】
換言すれば、発振周波数を変更することが可能である局部発振器を複数持った受信機において、各局部発振周波数をＵｐｐｅｒｌｏｃａｌまたはＬｏｗｅｒｌｏｃａｌに切り替えたり、あるいは基準発振器および制御クロック発振器の周波数を切り替えることにより、受信機で使用する局部発振器、基準発振器および制御クロック発振器の発振周波数の組み合わせから生成される妨害波の周波数を変更することで受信感度劣化を回避するものである。
【００２７】
すなわち、受信機内部で使用される複数の発振器から出力される周波数の組み合わせにより生じる受信感度劣化を回避する回路としての役割を有している。
【００２８】
以上のように、本実施の形態によれば、原理的に受信感度劣化が生じないため、効果が確実であり、安定した特性が得られる。また、部品配置、パターン設計の制約条件が少なくなり、基板設計の自由度を高めることができる。さらに、シールドやフィルタ等の対策部品が不要となる。
【図面の簡単な説明】
【００２９】
【図１】スーパーヘテロダイン方式の受信機の構成を示す図である。
【図２】第１ミキサ回路での周波数変換について説明するための図である。
【図３】第２ミキサ回路での周波数変換について説明するための図である。
【符号の説明】
【００３０】
１１  高周波フィルタ、１２  高周波アンプ、１３  第１ミキサ、１４  第１中間周波フィルタ、１５  第１中間周波アンプ、１６  第２ミキサ、１７  第２中間周波アンプ、１８  第２中間周波フィルタ、１９  復調器、１ａ  基準発振器、１ｂ  局部発振器制御部、１ｃ  第１局部発振器、１ｄ  第２局部発振器。
【図１】
2005175589.tif 000003
【図２】
2005175589.tif 000004
【図３】
2005175589.tif 000005